(57)【要約】【課題】再エンコードすることなく配信される映像に電子透かしを適用する。【解決手段】コンテンツ配信装置１が、ビデオコンテンツを要求するコンテンツ取得要求を受信し、コンテンツ取得要求に基づき、ビデオコンテンツを配信するとともに、透かしＩＤを埋め込んだ透かし映像を生成して配信し、透かしＩＤを含む透かし映像関連情報を記録しておき、コンテンツ再生装置２が、コンテンツ取得要求を送信し、ビデオコンテンツと透かし映像を受信し、ビデオコンテンツを再生表示するとともに、透かし映像をビデオコンテンツに重畳させて再生表示する。【選択図】図１
2020065216.tif 000002
【特許請求の範囲】
【請求項１】
配信装置による、
映像コンテンツを要求する取得要求を受信するステップと、
前記取得要求に基づき、前記映像コンテンツを配信するステップと、
透かし情報を埋め込んだ透かし映像を配信するステップと、
前記透かし情報を含む透かし映像関連情報を記録するステップと、を有し、
再生装置による、
前記取得要求を送信するステップと、
前記映像コンテンツを受信するステップと、
前記透かし映像を受信するステップと、
前記映像コンテンツを再生表示するとともに、前記透かし映像を前記映像コンテンツに重畳させて再生表示するステップと、を有する
ことを特徴する映像配信方法。
【請求項２】
前記透かし映像関連情報を記録するステップは、当該透かし映像関連情報をトランザクションとしてブロックチェーンネットワークに発行し、ブロックチェーンに記録する
ことを特徴とする請求項１に記載の映像配信方法。
【請求項３】
検査装置による、
映像から前記透かし情報を検出するステップと、
検出した前記透かし情報に基づき、前記ブロックチェーンに記録された前記透かし映像関連情報を取得するステップと、を有する
ことを特徴とする請求項２に記載の映像配信方法。
【請求項４】
映像コンテンツの取得要求を受信する要求受信部と、
前記取得要求に基づき、前記映像コンテンツを配信する映像コンテンツ配信部と、
透かし情報を埋め込んだ透かし映像を配信する透かし映像配信部と、
前記透かし情報を含む透かし映像関連情報を記録する透かし情報記録部と、
前記透かし映像を配信する透かし映像配信部と、を備える
ことを特徴とする配信装置。
【請求項５】
前記透かし映像関連情報をトランザクションとしてブロックチェーンネットワークに発行し、ブロックチェーンに記録するブロックチェーン制御部を備える
ことを特徴とする請求項４に記載の配信装置。
【請求項６】
映像コンテンツを要求する取得要求を送信するステップと、
前記映像コンテンツを受信する映像コンテンツ受信部と、
前記取得要求に基づいて生成された透かし情報を埋め込んだ透かし映像を受信する透かし映像受信部と、
前記映像コンテンツを再生表示するとともに、前記透かし映像を前記映像コンテンツに重畳させて再生表示する再生部と、を有する
ことを特徴する再生装置。
【請求項７】
映像コンテンツに重畳させて再生表示された透かし映像に埋め込まれた透かし情報を検査する検査装置であって、
前記透かし情報を含む透かし映像関連情報は、ブロックチェーンに記録されており、
映像から前記透かし情報を検出する透かし情報検出部と、
検出した前記透かし情報に基づき、前記ブロックチェーンに記録された前記透かし映像関連情報を取得する関連情報取得部と、を備える
ことを特徴とする検査装置。
【請求項８】
請求項４乃至７のいずれかに記載の装置の各手段としてコンピュータを動作させることを特徴とするプログラム。
【発明の詳細な説明】
【技術分野】
【０００１】
本発明は、電子透かしを映像に適用する技術に関する。
【背景技術】
【０００２】
ビデオコンテンツに関して、発信者を示すための最も単純な方法としては、例えば、発信者特有のロゴを映像の右上などの端部に視聴に影響を及ぼさない程度の大きさで埋め込んでおく方法がある。しかしながら、この方法では悪意を持った利用者がロゴ周辺の領域に対し、黒または白などのオブジェクトを重ねることにより容易にロゴの本来の機能を失わせることが可能となる。
【０００３】
ビデオコンテンツにおける著作権保護の技術として電子透かしと呼ばれる技術がある。電子透かしは、人間には知覚しにくく機械には検出可能な形で、ビデオコンテンツにノイズのような微小な変化を与えて情報を埋め込む技術である（特許文献１参照）。ビデオコンテンツに埋め込まれた情報からビデオコンテンツの権利所有者や発信者を特定することができる。
【先行技術文献】
【特許文献】
【０００４】
【特許文献１】特開２０１１−７８１４１号公報
【非特許文献】
【０００５】
【非特許文献１】岸上順一、藤村滋、渡邊大喜、大橋盛徳、中平篤、「ブロックチェーン技術入門」、第１版、森北出版株式会社、２０１７年、pp. 2-11, 115-122
【発明の概要】
【発明が解決しようとする課題】
【０００６】
近年、インターネット上の動画配信サイトの人気が高まった結果、動画配信サイトは非常に多くの利用者からの要求に応える必要がある。このような状況下で電子透かし技術を採用した場合、基本的には、電子透かしに関する情報をビデオコンテンツに埋め込む際に再エンコードが必要となる。再エンコード処理はビデオコンテンツが高解像度なものとなるにつれ処理負荷が大きくなることから、結果として動画配信サイト側の膨大なシステム投資が必要となるという課題があった。
【０００７】
さらに、電子透かしとして埋め込む情報に関し、ビデオコンテンツの権利者や配信者だけでなく、配信先対象を含める場合においては、配信者と配信先対象が確かにビデオコンテンツの授受を行ったことを証言する第三者的な証人がいない限りは、配信者が一方的に当該の情報を透かしとして埋め込んだとする可能性を排除するのが難しいという課題もある。
【０００８】
本発明は、上記に鑑みてなされたものであり、再エンコードすることなく配信される映像に電子透かしを適用することを目的とする。
【課題を解決するための手段】
【０００９】
本発明に係る映像配信方法は、配信装置による、映像コンテンツを要求する取得要求を受信するステップと、前記取得要求に基づき、前記映像コンテンツを配信するステップと、透かし情報を埋め込んだ透かし映像を配信するステップと、前記透かし情報を含む透かし映像関連情報を記録するステップと、を有し、再生装置による、前記取得要求を送信するステップと、前記映像コンテンツを受信するステップと、前記透かし映像を受信するステップと、前記映像コンテンツを再生表示するとともに、前記透かし映像を前記映像コンテンツに重畳させて再生表示するステップと、を有することを特徴する。
【００１０】
上記映像配信方法において、前記透かし映像関連情報を記録するステップは、当該透かし映像関連情報をトランザクションとしてブロックチェーンネットワークに発行し、ブロックチェーンに記録することを特徴とする。
【００１１】
上記映像配信方法において、検査装置による、映像から前記透かし情報を検出するステップと、検出した前記透かし情報に基づき、前記ブロックチェーンに記録された前記透かし映像関連情報を取得するステップと、を有することを特徴とする。
【００１２】
本発明に係る配信装置は、映像コンテンツの取得要求を受信する要求受信部と、前記取得要求に基づき、前記映像コンテンツを配信する映像コンテンツ配信部と、透かし情報を埋め込んだ透かし映像を配信する透かし映像配信部と、前記透かし情報を含む透かし映像関連情報を記録する透かし情報記録部と、前記透かし映像を配信する透かし映像配信部と、を備えることを特徴とする。
【００１３】
上記配信装置において、前記透かし映像関連情報をトランザクションとしてブロックチェーンネットワークに発行し、ブロックチェーンに記録するブロックチェーン制御部を備えることを特徴とする。
【００１４】
本発明に係る再生装置は、映像コンテンツを要求する取得要求を送信するステップと、前記映像コンテンツを受信する映像コンテンツ受信部と、前記取得要求に基づいて生成された透かし情報を埋め込んだ透かし映像を受信する透かし映像受信部と、前記映像コンテンツを再生表示するとともに、前記透かし映像を前記映像コンテンツに重畳させて再生表示する再生部と、を有することを特徴する。
【００１５】
本発明に係る検査装置は、映像コンテンツに重畳させて再生表示された透かし映像に埋め込まれた透かし情報を検査する検査装置であって、前記透かし情報を含む透かし映像関連情報は、ブロックチェーンに記録されており、映像から前記透かし情報を検出する透かし情報検出部と、検出した前記透かし情報に基づき、前記ブロックチェーンに記録された前記透かし映像関連情報を取得する関連情報取得部と、を備えることを特徴とする。
【００１６】
本発明に係るプログラムは、上記配信装置、再生装置、又は検査装置の各手段としてコンピュータを動作させることを特徴とする。
【発明の効果】
【００１７】
本発明によれば、再エンコードすることなく配信される映像に電子透かしを適用することができる。
【図面の簡単な説明】
【００１８】
【図１】第１の実施の形態におけるコンテンツ配信装置とコンテンツ再生装置を含む全体構成図である。
【図２】透かし映像に関連する透かし映像関連情報の一例を示す図である。
【図３】コンテンツ再生装置によるビデオコンテンツの表示例を示す図である。
【図４】コンテンツ配信装置の処理の流れを示すフローチャートである。
【図５】コンテンツ再生装置の処理の流れを示すフローチャートである。
【図６】第２の実施の形態におけるコンテンツ配信装置とコンテンツ検査装置を含む全体構成図である。
【図７】流出したビデオコンテンツの流出元を突き止める処理の流れを示すフローチャートである。
【発明を実施するための形態】
【００１９】
［第１の実施の形態］
図１は、第１の実施の形態におけるコンテンツ配信装置１とコンテンツ再生装置２を含む全体構成図である。コンテンツ配信装置１およびコンテンツ再生装置２はネットワーク１００に接続される。コンテンツ再生装置２が、視聴を希望する映像（以下、「ビデオコンテンツ」と称する）の情報を含むコンテンツ取得要求をコンテンツ配信装置１へ送信すると、コンテンツ配信装置１は、コンテンツ取得要求に基づき、本来の目的で視聴に供するビデオコンテンツを配信するとともに、電子透かしのための透かし映像を生成して配信する。コンテンツ再生装置２は、ビデオコンテンツと透かし映像を受信し、ビデオコンテンツ上に透かし映像を透明レイヤとして重畳させて再生する。
【００２０】
まず、コンテンツ配信装置１について説明する。コンテンツ配信装置１は、要求受信部１１、配信部１２、コンテンツ管理部１３、透かし映像生成部１４、およびストレージ１５を備える。
【００２１】
要求受信部１１は、コンテンツ再生装置２からビデオコンテンツを要求するコンテンツ取得要求を受信する。より具体的には、例えば、要求受信部１１は、ＨＴＴＰのリクエストとしてコンテンツ取得要求を受信する。
【００２２】
配信部１２は、コンテンツ取得要求に基づき、コンテンツ管理部１３を通して取得した配信対象のビデオコンテンツおよび透かし映像生成部１４により生成された透かし映像をコンテンツ再生装置２に対してストリーミング配信する。
【００２３】
コンテンツ管理部１３は、ストレージ１５に格納されたビデオコンテンツの管理を行う。コンテンツ管理部１３は、要求されたビデオコンテンツを配信部１２へ渡す。コンテンツ管理部１３は、例えば利用者ＩＤなどに基づき、ビデオコンテンツを配信部１２へ渡すか否かの制御を実施してもよい。
【００２４】
透かし映像生成部１４は、配信部１２を介して取得したコンテンツ取得要求の情報に基づいて透かし映像を生成するとともに、透かし映像に関連する情報（以下、「透かし映像関連情報」と称する）をストレージ１５に記録する。図２の透かし映像関連情報は、透かしＩＤ、生成時刻、配信先情報、及びコンテンツＩＤを含む。透かしＩＤは、透かし映像関連情報を一意に特定するための識別子である。生成時刻は、透かし映像を生成した時刻を示す情報である。配信先情報は、ビデオコンテンツの配信先を特定するための情報であり、例えば、動画配信サイトであれば当該サイトにおけるユーザＩＤ等でもよいし、コンテンツ取得要求に含まれる発信元のＩＰアドレスなどでもよい。コンテンツＩＤは、コンテンツ取得要求によって要求されたビデオコンテンツ、つまり透かし映像の重畳対象のビデオコンテンツを一意に特定するための識別子である。ここで、透かし映像関連情報には前記の情報に加え、ビデオコンテンツの権利者情報やコンテンツのタイトルなどの情報を加えても良い。
【００２５】
透かし映像に埋め込むべき最小の情報は透かしＩＤである。透かしＩＤのみを埋め込んだ透かし映像であれば数十フレーム程度の映像となり、透かし映像を生成する処理の負荷も少ない。また、配信先情報として動画配信サイトのユーザＩＤに基づいた情報を利用するなど、予めユーザＩＤおよびコンテンツＩＤが特定可能である場合には、透かし映像を予め生成しておくことで、コンテンツ再生装置２の利用者の待ち時間を減らすことが可能となる。
【００２６】
続いて、コンテンツ再生装置２について説明する。コンテンツ再生装置２は、要求部２１、受信部２２、及び再生部２３を備える。
【００２７】
要求部２１は、コンテンツ配信装置１に対してコンテンツ取得要求を送信する。コンテンツ取得要求は、コンテンツＩＤ等のビデオコンテンツを特定するための情報を含む。コンテンツ取得要求にユーザＩＤなどの配信先情報を含めてもよい。
【００２８】
受信部２２は、ビデオコンテンツおよび透かし映像のそれぞれをコンテンツ配信装置１からストリーミング受信し、再生部２３に引き渡す。
【００２９】
再生部２３は、ビデオコンテンツを再生表示するとともに、ビデオコンテンツの上に重畳する形で、あらかじめ定められた透過率を適用した透かし映像を再生表示する。より具体的には、コンテンツ再生にＷｅｂ技術を適用する場合においては、ｖｉｄｅｏタグあるいはｃａｎｖａｓタグの表示領域を重畳し、下のレイヤにおいてビデオコンテンツを表示するとともに、上のレイヤにおいて所定の透過率を適用した透かし映像を表示する。これにより、ビデオコンテンツの上に透かし映像を重ねて表示する重畳表示が実現できる。透かし映像の透過率は別途設定しておく。
【００３０】
透かし映像は数十フレーム程度であり、透かし映像の再生時間はビデオコンテンツの再生時間に比べて短い。再生部２３は、受信した透かし映像を保持しておき、ビデオコンテンツが再生されている間、透かし映像を繰り返し再生してもよい。透かし映像のデータ量を小さくし、透かし映像を繰り返し再生することで通信量の削減が期待できる。特に、ビデオコンテンツの再生時間が長くなれば、通信量の削減効果が高まる。なお、ビデオコンテンツに対して一時停止、早送り、巻戻しの操作が行われた場合、再生部２３は、透かし映像に対しても同様の操作を適用してもよいし、ビデオコンテンツに対する操作に関わらず、透かし映像を繰り返し再生し続けてもよい。
【００３１】
図３に、コンテンツ再生装置２によるビデオコンテンツの表示例を示す。図３は、動画サイトにおいてビデオコンテンツを表示した例である。コンテンツ再生装置２の表示画面２００では、視聴対象のビデオコンテンツを表示した表示領域２１０上に、別途設定された透過率（例えば３０％）を適用した透かし映像を表示した表示領域２２０が重ねて表示される。表示領域２１０を表示領域２２０が完全に覆うように重ねて表示される。
【００３２】
次に、コンテンツ配信装置１とコンテンツ再生装置２の動作について説明する。
【００３３】
図４は、コンテンツ配信装置１の処理の流れを示すフローチャートである。
【００３４】
要求受信部１１がコンテンツ取得要求を受信すると、配信部１２は、コンテンツ取得要求に基づき、コンテンツ管理部１３にビデオコンテンツを要求するとともに、透かし映像生成部１４に透かし映像を要求する（ステップＳ１１）。
【００３５】
透かし映像生成部１４は、配信部１２を介して取得したコンテンツ取得要求に基づいて透かし映像を生成するとともに、透かし映像関連情報をストレージ１５に記録する（ステップＳ１２）。例えば、透かし映像生成部１４は、透かしＩＤを生成し、透かしＩＤを電子透かしとして埋め込んだ透かし映像を生成する。透かし映像生成部１４は、透かしＩＤ、生成時刻、配信先情報、及びコンテンツＩＤを関連付けてストレージ１５に記録する。配信先情報とコンテンツＩＤはコンテンツ取得要求から取得できる。
【００３６】
配信部１２は、コンテンツ管理部１３から受け取ったビデオコンテンツをコンテンツ取得要求の送信元へ配信するとともに、透かし映像生成部１４から受け取った透かし映像をコンテンツ取得要求の送信元へ配信する（ステップＳ１３）。ビデオコンテンツと透かし映像は別々に配信される。
【００３７】
図５は、コンテンツ再生装置２の処理の流れを示すフローチャートである。
【００３８】
要求部２１は、視聴を希望するビデオコンテンツを要求するコンテンツ取得要求をコンテンツ配信装置１へ送信する（ステップＳ２１）。コンテンツ取得要求には、視聴対象のビデオコンテンツを示すコンテンツＩＤ、および配信先情報であるユーザＩＤなどを含めてもよい。
【００３９】
受信部２２は、ビデオコンテンツおよび透かし映像を受信すると、再生部２３へビデオコンテンツと透かし映像を引き渡す（ステップＳ２２）。
【００４０】
再生部２３は、ビデオコンテンツを表示する領域の上に、透かし映像を表示する領域を重ねて、ビデオコンテンツと透かし映像を重畳表示する（ステップＳ２３）。
【００４１】
ビデオコンテンツの利用者が悪意を持ったものであった場合、ビデオコンテンツの再生画面をキャプチャすることで映像および音声、すなわちビデオコンテンツ全体をデジタル保存し、目的外の漏えいを生じさせる可能性がある。このような状況において、コンテンツ再生装置２の再生画面をキャプチャすると、透かしＩＤ入りのビデオコンテンツをキャプチャすることになる。そのため、キャプチャ映像からは透かしＩＤを検出できる。
【００４２】
以上説明したように、本実施の形態によれば、コンテンツ配信装置１が、ビデオコンテンツを要求するコンテンツ取得要求を受信し、コンテンツ取得要求に基づき、ビデオコンテンツを配信するとともに、透かしＩＤを埋め込んだ透かし映像を生成して配信し、透かしＩＤを含む透かし映像関連情報を記録しておき、コンテンツ再生装置２が、コンテンツ取得要求を送信し、ビデオコンテンツと透かし映像を受信し、ビデオコンテンツを再生表示するとともに、透かし映像をビデオコンテンツに重畳させて再生表示することにより、再エンコード処理を実施することなく、電子透かしに関する情報を適用した映像を配信することが可能となる。また、再エンコードが必要ないので、ライブ配信では、再エンコード処理を行わないことによる遅延の短縮を実現できる。さらに、ビデオコンテンツと透かし映像を別々に配信するので、配信先ごとに異なる電子透かしを埋め込みたい場合でも、ビデオコンテンツに関し全利用者で同一のものを利用可能となり、配信サイト側のストレージ領域の削減に貢献できる。
【００４３】
［第２の実施の形態］
図６は、第２の実施の形態におけるコンテンツ配信装置１とコンテンツ検査装置３を含む全体構成図である。図６では、コンテンツ再生装置２を図示していない。コンテンツ再生装置２は第１の実施の形態のものと同様である。コンテンツ配信装置１がビデオコンテンツと透かし映像を別々に配信し、コンテンツ再生装置２がビデオコンテンツと透かし映像を重畳して表示する点は第１の実施の形態と同じである。
【００４４】
第２の実施の形態では、透かし映像関連情報の記録にブロックチェーンを活用する。ブロックチェーンでは、やり取りされる情報の信頼性が分散ネットワーク内の合意形成のプロセスによって担保される。また、改ざんなどの不正を系全体で防ぐことで健全性が保たれる。
【００４５】
コンテンツ配信装置１は、透かし映像関連情報をトランザクションとしてブロックチェーンネットワークに発行する。トランザクションがブロックとしてブロックチェーンに記録されることで、いわゆる公証のような効果が得られる。コンテンツ検査装置３は、流出が疑われるビデオコンテンツから透かしＩＤを検出すると、ブロックチェーン内に記録されたトランザクションから、検出した透かしＩＤに対応する透かし映像関連情報を得る。図示していないが、ブロックチェーンネットワークに発行されたトランザクションを収集してブロックを生成するマイナーなどのその他の装置がブロックチェーンネットワークに参加している。
【００４６】
まず、コンテンツ配信装置１について説明する。コンテンツ配信装置１は、要求受信部１１、配信部１２、コンテンツ管理部１３、透かし映像生成部１４、ストレージ１５、ブロックチェーン制御部１６、及びブロックチェーン１７を備える。
【００４７】
要求受信部１１、配信部１２、及びコンテンツ管理部１３は、第１の実施の形態と同じである。
【００４８】
透かし映像生成部１４は、透かし映像を生成する点は第１の実施の形態と同じであるが、透かし映像関連情報をストレージ１５ではなく、ブロックチェーンに登録する点で異なる。透かし映像生成部１４は、透かし映像を生成するとともに、透かし映像関連情報をブロックチェーン制御部１６に引き渡す。
【００４９】
ブロックチェーン制御部１６は、透かし映像生成部１４から受け取った透かし映像関連情報をトランザクションとしてブロックチェーンネットワークに発行する。ブロックチェーンネットワークに参加する装置により、トランザクションが収集され、トランザクションを含むブロックが生成されて、ブロックがブロックチェーンに連結される。ブロックチェーンは、トランザクションをブロックとしてまとめ、ブロックを鎖状につなげたデータ構造を持つ分散型の台帳である。ブロックチェーンネットワークを構成する各装置が同一のブロックチェーンを保持し共有する。ブロックチェーン制御部１６は、ブロックチェーンネットワークを構成する他の装置と協調動作し、コンテンツ配信装置１の保持するブロックチェーン１７を最新状態に保つ。
【００５０】
続いて、コンテンツ検査装置３について説明する。コンテンツ検査装置３は、透かし情報検出部３１、ブロックチェーン制御部３２、及びブロックチェーン３３を備える。
【００５１】
透かし情報検出部３１は、流出が疑われる映像から透かしＩＤを検出し、検出した透かしＩＤをブロックチェーン制御部３２へ引き渡す。コンテンツ再生装置２の再生画面をキャプチャして流出させた映像からは透かしＩＤが検出される。
【００５２】
ブロックチェーン制御部３２は、コンテンツ配信装置１のブロックチェーン制御部１６と同様に、ブロックチェーンネットワークを構成する他の装置と協調動作し、コンテンツ検査装置３の保持するブロックチェーン３３を最新状態に保つ。
【００５３】
ブロックチェーン制御部３２は、ブロックチェーン３３内に記録されたトランザクションの情報に基づき、透かしＩＤに対応する透かし映像関連情報を取得する。透かし映像関連情報を取得することで、透かし映像関連情報に含まれる配信先情報からビデオコンテンツの流出元を特定することが可能となる。
【００５４】
続いて、コンテンツ検査装置３の動作について説明する。図７は、流出したビデオコンテンツの流出元を突き止める処理の流れを示すフローチャートである。
【００５５】
流出が疑われる映像を取得して透かし情報検出部３１へ入力すると（ステップＳ３１）、透かし情報検出部３１は、流出が疑われる映像から透かしＩＤを検出する（ステップＳ３２）。透かし情報検出部３１は、映像から透かしＩＤを検出すると、透かしＩＤをブロックチェーン制御部３２へ引き渡す。
【００５６】
ブロックチェーン制御部３２は、ブロックチェーン３３内に記録されたトランザクションの情報に基づき、透かしＩＤに対応する映像関連情報を取得する（ステップＳ３３）。
【００５７】
取得した映像関連情報の配信先情報から映像の流出元を特定できる（ステップＳ３４）。
【００５８】
以上説明したように、本実施の形態によれば、コンテンツ配信装置１が、透かし映像関連情報をトランザクションとしてブロックチェーンネットワークに発行し、ブロックチェーンに記録することにより、透かし映像関連情報は、改ざん耐性が高い状態で公開されるので、ビデオコンテンツをキャプチャした映像の流出を第三者が検査可能である。
【００５９】
なお、コンテンツ配信装置１、コンテンツ再生装置２、及びコンテンツ検査装置３が備える各部は、演算処理装置、記憶装置等を備えたコンピュータにより構成して、各部の処理がプログラムによって実行されるものとしてもよい。このプログラムはコンテンツ配信装置１、コンテンツ再生装置２、及びコンテンツ検査装置３が備える記憶装置に記憶されており、磁気ディスク、光ディスク、半導体メモリ等の記録媒体に記録することも、ネットワークを通して提供することも可能である。コンテンツ配信装置１、コンテンツ再生装置２、及びコンテンツ検査装置３が備える各部を複数の装置に分散して構成してもよいし、コンテンツ配信装置１、コンテンツ再生装置２、及びコンテンツ検査装置３をクラウド上の仮想マシンで構成してもよい。
【符号の説明】
【００６０】
１…コンテンツ配信装置
１１…要求受信部
１２…配信部
１３…コンテンツ管理部
１４…透かし映像生成部
１５…ストレージ
１６…ブロックチェーン制御部
１７…ブロックチェーン
２…コンテンツ再生装置
２１…要求部
２２…受信部
２３…再生部
３…コンテンツ検査装置
３１…情報検出部
３２…ブロックチェーン制御部
３３…ブロックチェーン
【図１】
2020065216.tif 000003
【図２】
2020065216.tif 000004
【図３】
2020065216.tif 000005
【図４】
2020065216.tif 000006
【図５】
2020065216.tif 000007
【図６】
2020065216.tif 000008
【図７】
2020065216.tif 000009